(57)【特許請求の範囲】
【請求項１】
ケースのテープ導入口から導入されるテープをケース内の固定カッタと可動カッタとで切断する切断部と、テープリールに巻回されたテープを送り出すテープ送出機構及び前記可動カッタを駆動するカッタ駆動機構を内蔵した駆動部とが、テープ案内樋を介して連結され、テープ送出機構にて送出されてくるテープをテープ案内樋にて案内して固定カッタと可動カッタとの間に挿通させ、カッタ駆動機構にて可動カッタを作動してテープを切断するテープマーキング装置において、
前記切断部を、前記テープ案内樋の先端に首振り軸にて上下に首振り可能に装着したこと、
この首振り軸にねじを形成し、これにナットを螺合させて切断部を緊締することにより、切断部の角度を任意に調整できるようにしたこと、
テープ案内樋の先端と切断部との間の隙間においてテープをテープ案内樋から切断部内へと案内するため、板ばね状のテープ案内舌片の一端部を切断部のケースに固定し、このテープ案内舌片を摺動自在に案内する舌片案内部をテープ案内樋の上側に形成したこと、
前記隙間においてテープ案内舌片と協働してテープをテープ導入口へ案内するため、前記首振り軸にテープ案内コロを回転自在に軸支したこと、
前記カッタ駆動機構と前記可動カッタとをフレキシブルシャフトにて連結したこと、
を特徴とするテープマーキング装置。
【発明の詳細な説明】
【０００１】
【発明の属する技術分野】
本発明は、テープを所定の長さに切断して標識として送り込むテープマーキング装置に関する。
【０００２】
【従来の技術】
従来、テープマーキング装置の一つのタイプとして、例えば特公昭６２−９５００号公報に開示されているように、固定カッタと可動カッタとでテープを切断する切断部と、リールに巻回されたテープを送り出すテープ送出機構及び可動カッタを駆動するカッタ駆動機構を内蔵した駆動部とが、テープ案内樋を介して連結され、テープ送出機構にて送出されてくるテープをテープ案内樋にて案内して固定カッタと可動カッタとの間に挿通させ、カッタ駆動機構にて可動カッタを作動してテープを切断する方式のものがある。
【０００３】
このタイプのテープマーキング装置は、切断部を小さく、テープ案内樋を細長くして、大きさに制約があるテープリール及び駆動部を切断部より先のテープ送り込み個所から離すことができるため、テープ送り込み個所の周辺のスペースが狭くても使用できるという利点がある。
【０００４】
【発明が解決しようとする課題】
しかし、従来は、切断部がテープ案内樋の先端に固定されていたため、切断部より先のテープ送り込み方向（シート間に送り込むテープ挿入角度）を変えるには、テープマーキング装置全体の傾きを変えなければならないので、予め設置現場を調査して角度を決め、その角度に合うようにテープマーキング装置全体を設計していた。そのため、設置現場毎に違う仕様にしなければならず、不経済であった。
【０００５】
本発明は、切断部をテープ案内樋に対して首振り自在とすることにより、切断部より先のテープ送り込み方向（角度）を現場で任意に調整することができ、また切断部をテープ案内樋に対して首振り自在としても、テープ案内樋から切断部内へとテープをスムーズに案内できるようにすることを目的とする。
【０００６】
【課題を解決するための手段】
本発明は、ケースのテープ導入口から導入されるテープをケース内の固定カッタと可動カッタとで切断する切断部と、テープリールに巻回されたテープを送り出すテープ送出機構及び前記可動カッタを駆動するカッタ駆動機構を内蔵した駆動部とが、テープ案内樋を介して連結され、テープ送出機構にて送出されてくるテープをテープ案内樋にて案内して固定カッタと可動カッタとの間に挿通させ、カッタ駆動機構にて可動カッタを作動してテープを切断するテープマーキング装置において、次のような構成にしたことを特徴とする。
（ａ）前記切断部を、前記テープ案内樋の先端に首振り軸にて上下に首振り可能に装着したこと。
（ｂ）この首振り軸にねじを形成し、これにナットを螺合させて切断部を緊締することにより、切断部の角度を任意に調整できるようにしたこと。
（ｃ）テープ案内樋の先端と切断部との間の隙間においてテープをテープ案内樋から切断部内へと案内するため、板ばね状のテープ案内舌片の一端部を切断部のケースに固定し、このテープ案内舌片を摺動自在に案内する舌片案内部をテープ案内樋の上側に形成したこと。
（ｄ）前記隙間においてテープ案内舌片と協働してテープをテープ導入口へ案内するため、前記首振り軸にテープ案内コロを回転自在に軸支したこと。
（ｅ）前記カッタ駆動機構と前記可動カッタとをフレキシブルシャフトにて連結したこと。
【０００７】
【発明の実施の形態】
次に、本発明の実施の形態を図面に基づいて詳細に説明する。
【０００８】
図１に示すように、本発明によるテープマーキング装置も、内蔵した固定カッタと可動カッタとでテープ１を切断する切断部２と、テープリール３に巻回されたテープを送り出すテープ送出機構４及び可動カッタを駆動するカッタ駆動機構５を内蔵した駆動部６とが、テープ案内樋７を介して連結され、テープ送出機構４にて送出されてくるテープ１をテープ案内樋７にて案内して固定カッタと可動カッタとの間に挿通させ、カッタ駆動機構５にて可動カッタを作動してテープを切断する基本構造については、従来と同様である。
【０００９】
しかし、このテープマーキング装置では、第１に、切断部２がテープ案内樋７の先端に上下に首振り可能に装着されている。第２に、切断部２が首振りすることに対応するため、駆動部６内のカッタ駆動機構５と切断部２内の可動カッタとは、フレキシブルシャフト８にて連結されている。第３に、テープ案内樋７の先端に対して切断部２を首振り可能にすると、テープ案内樋７の先端と切断部２との間に隙間が生ずるため、テープ案内樋７の先端と切断部２との間に別にテープガイドが設けられている。
【００１０】
以下、個々の構造について具体的に説明する。
図２に示すように、テープ案内樋７は、その全長にわたる凹溝７ａを蓋板（帯板）７ｂで覆い、この凹溝７ａに沿ってテープ１を案内する。
【００１１】
切断部２では、図３に示すように、本体９にカバー１０を被せた箱形ケース１１内において、回動枠１２が軸１３により上下回動自在に軸支され、この回動枠１２の両辺の横穴１４と可動カッタ１５のピン１６とを摺動自在に嵌合させることにより、回動枠１２の回動により可動カッタ１５が上下に可動とされ、また固定カッタ１７が本体９に固定されている。図４に示すように、固定カッタ１７はその上縁を山形の刃１７ａとし、また可動カッタ１５は正面門型で、その門型の上辺部の下縁を山形の刃１５ａとしている。そして、可動カッタ１５と固定カッタ１７とは位置が前後に食い違い、図３及び図１０に示すように可動カッタ１５が上方の定位置にあるときは、可動カッタ１５の刃１５ａと固定カッタ１７の刃１７ａとの間にテープ１を挿通させることができ、その状態で可動カッタ１５が図１０に示すように下降すると、テープ１が切断されるようになっている。
【００１２】
また、箱形ケース１１内には、上下のテープ案内板１８・１９が所定の間隔をおいて対向設置され、テープ案内樋７に案内されて送られてくるテープ１は、テープ案内板１８・１９にて箱形ケース１１内に導入されて、可動カッタ１５の刃１５ａと固定カッタ１７の刃１７ａとの間に案内され、カバー１０の前面に形成されたテープ排出口１０ａ（図５）から排出される。
【００１３】
切断部２をテープ案内樋７の先端に対して首振り可能とするため、図６及び図７に示すように、切断部２の本体９の後面の片側には、軸孔２０ａを有する軸受突部２０が設けられている。一方、テープ案内樋７の先端部の両側面には、左右一対の軸受片２１・２２がビス２３で固着されている。一方の軸受片２１には円形の軸貫通孔２１ａ、他方の軸受片２２には楕円形の軸固定孔２２ａがそれぞれ設けられている。また、首振り軸２４は、楕円形の回り止め部２４ａ、コロ軸受部２４ｂ、コロ軸受部２４ｂより小径の主軸部２４ｃを有し、この主軸部２４ｃにねじ２４ｄが設けられている。そして、この主軸部２４ｃを、図８及び図９に示すように、軸受突部２０の軸孔２０ａ及び軸受片２１の軸貫通孔２１ａに貫通させるとともに、回り止め部２４ａを軸受片２２の軸固定孔２２ａに嵌合させることにより、切断部２は、首振り軸２３にてテープ案内樋７の先端に上下回動可能に軸支されている。
【００１４】
このとき、首振り軸２４のコロ軸受部２３ｂにテープ案内コロ２５の軸孔２５ａを嵌合させることにより、テープ案内コロ２５は、図３に示すように、テープ案内樋７の先端と切断部２の本体９との間において、首振り軸２４に回転自在に軸支されている。テープ案内樋７の先端とテープ案内コロ２５との間の隙間を極力小さくするため、図３に示すように、テープ案内樋７の先端面７ｃは、テープ案内コロ２５の外周面に沿って湾曲させてある。また、主軸部２４ｃのねじ２４ｄにナット２６を螺合させてあり、このナット２６にて軸受突部２０を緊締することにより、テープ案内樋７の先端に対する切断部２の角度を任意に設定できるようになっている。
【００１５】
上記のように、テープ案内樋７の先端に切断部２を上下に首振り可能に軸支したことから、テープ案内樋７の先端と切断部２側のテープ導入口２７（上下のテープ案内板１８・１９の後端の間）との間に必然的に隙間が生じ、またテープ導入口２７の向きも切断部２の角度によって変わる。そこで、図３に示すように、切断部２の上側のテープ案内板１８の下面に、板ばね状のテープ案内舌片２８の先端部が固着されている。このテープ案内舌片２８は、その固着部からテープ案内樋７の蓋板７ｂ上へと延び、この蓋板７ｂ上に固定された舌片案内鞘（舌片案内部）２９中を摺動自在に挿通している。
【００１６】
従って、テープ案内樋７の凹溝７ａに沿って送られてくるテープ１は、テープ案内舌片２８とテープ案内コロ２５との間を通り、これらに案内されて切断部２のテープ導入口２７へと導かれる。このとき、切断部２が図１１に示すようにテープ案内樋７に対して真っ直ぐになっていても、図１２に示すように下向きに傾いていても、図１３に示すように上向きに傾いていても、テープ案内舌片２８は、テープ案内樋７の先端と切断部２のテープ導入口２７との間で、切断部２の姿勢に応じて伸縮するように弾性変形するので、テープ案内舌片２８とテープ案内コロ２５とによる案内作用は変わらず、しかもテープ案内コロ２５が回転自在であるので、テープ１をスムーズにテープ導入口２７へ導入できる。
【００１７】
切断部２が上下に首振り可能であることから、切断部２内の可動カッタ１５を駆動部６内のカッタ駆動機構５で駆動するのに、上記のようにフレキシブルシャフト８を用いている。このフレキシブルシャフト８は、繊維入りのプラスチック製シース８ａ内に金属ワイヤー８ｂを挿通させた既製のもので、切断部２側では、シース８ａの先端をナット３０を用いて切断部２の本体９の後面に固定し、シース８ａの先端から突出させた金属ワイヤー８ｂの先端をジョイント３１にて可動カッタ１５の回動枠１２に連結してある。一方、駆動部６側では、金属ワイヤー８ｂの基端を、カッタ駆動機構５の図示しない直線運動アクチュエータ（エアーシリンダや電磁石等）に連結してある。この直線運動アクチュエータが往復運動すると、金属ワイヤー８ｂがシース８ａ内を摺動し、回動枠１２が回動して可動カッタ１５が上下動する。
【００１８】
【発明の効果】
以上詳述したように本発明によれば、テープ案内樋の先端に対して切断部を首振り軸にて首振り可能とし、切断部の可動カッタを駆動部のカッタ駆動機構で駆動するのにフレキシブルシャフトを用いたので、切断部より先のテープ送り込み方向（角度）を現場で任意に調整することができ、テープマーキング装置全体を設置現場毎に違う仕様にする必要がなく、経済的であるとともに、シート等へのテープ挿入方向が正確になるので、テープマーキング動作も安定する。
【００１９】
首振り軸にねじを形成し、これにナットを螺合させて切断部を緊締することにより、切断部の角度を任意に設定できる。
【００２０】
テープ案内樋の先端と切断部との隙間に、板ばね状のテープ案内舌片を設けるとともに、首振り軸にテープ案内コロを回転自在に軸支したので、切断部を首振り可能としても、テープ案内樋に案内されて送られてくるテープを切断部内へ支障なくスムーズに導入できる。
【００２１】
テープ案内舌片を摺動自在に案内する舌片案内部をテープ案内樋の上側に形成したので、テープ案内舌片を切断部の角度に応じて弾性変形させることができ、切断部の角度が変わってもそのテープ導入口へテープを問題なく導入できる。
【図面の簡単な説明】
【図１】本発明によるテープマーキング装置の全体側面図である。
【図２】同テープマーキング装置におけるテープ案内樋と切断部の斜視図である。
【図３】同じく断面図である。
【図４】切断部のカバーを切断してその内部を示す正面図である。
【図５】切断部の正面図である。
【図６】テープ案内樋と切断部とを分離して示す分解斜視図である。
【図７】テープ案内樋の一部を分解した、テープ案内樋と切断部との斜視図である。
【図８】切断部の内部を表したテープ案内樋と切断部の平面図である。
【図９】同上の一部を断面にした図である。
【図１０】可動カッタが上方の定位置にあるときの切断部の内部を表したテープ案内樋と切断部の側面図である。
【図１１】可動カッタが下降したときの切断部の内部を表した同様の側面図である。
【図１２】切断部を下向きに傾けた状態のテープ案内樋と切断部の側面図である。
【図１３】切断部を上向きに傾けた状態のテープ案内樋と切断部の側面図である。
【符号の説明】
１  テープ
２  切断部
３  テープリール
４  テープ送出機構
５  カッタ駆動機構
６  駆動部
７  テープ案内樋
７ａ  凹溝
７ｂ  蓋板
７ｃ  テープ案内樋の先端面
８  フレキシブルシャフト
８ａ  シース
８ｂ  金属ワイヤー
９  本体
１０  カバー
１０ａ  テープ排出口
１１  箱形ケース
１２  回動枠
１３  軸
１４  横穴
１５  可動カッタ
１５ａ  可動カッタの刃
１６  ピン
１７  固定カッタ
１７ａ  固定カッタの刃
１８・１９  テープ案内板
２０  軸受突部
２０ａ  軸孔
２１  軸受片
２１ａ  軸貫通孔
２２  軸受片
２２ａ  軸固定孔
２３  ビス
２４  首振り軸
２４ａ  回り止め部
２４ｂ  コロ軸受部
２４ｃ  主軸部
２４ｄ  ねじ
２５  テープ案内コロ
２６  ナット
２７  テープ導入口
２８  テープ案内舌片
２９  舌片案内鞘（舌片案内部）
３０  ナット
３１  ジョイント
【図１】
0003622148.tif 000002
【図２】
0003622148.tif 000003
【図３】
0003622148.tif 000004
【図４】
0003622148.tif 000005
【図５】
0003622148.tif 000006
【図６】
0003622148.tif 000007
【図７】
0003622148.tif 000008
【図８】
0003622148.tif 000009
【図９】
0003622148.tif 000010
【図１０】
0003622148.tif 000011
【図１１】
0003622148.tif 000012
【図１２】
0003622148.tif 000013
【図１３】
0003622148.tif 000014